(57)【特許請求の範囲】
【請求項１】
左目用映像と右目用映像とが時系列に交互に並べられた立体映像を出力する装置に備えられる情報表示装置であって、
複数の発光部を有し、前記複数の発光部のそれぞれが、発光の開始から予め設定された期間の経過後の当該発光の停止までの状態である発光状態と、当該発光の停止から次の発光の開始までの状態である非発光状態とを交互に繰り返すことで、前記立体映像とは異なる情報を表示する表示部を備え、
前記複数の発光部のそれぞれは、複数の発光体を有し、前記発光状態において、前記複数の発光体のうちの選択された発光体が点灯し、
前記複数の発光部のそれぞれは、前記立体映像を視認するための眼鏡が備えるシャッターであって右目用および左目用のいずれか一方のシャッターが開放してから閉じるまでの期間である開期間の間に、少なくとも１回、前記発光状態となる
情報表示装置。
【請求項２】
前記複数の発光部は、前記表示部において列を形成するように配置されており、
前記複数の発光部による発光パターンの周期であって、前記列の一端の発光部から他端の発光部にかけて順次行われる、発光状態および非発光状態の一方から他方への切り替えを含む発光パターンの周期が、前記開期間よりも短いことにより、前記複数の発光部のそれぞれは、前記開期間の間に、少なくとも１回、前記発光状態となる
請求項１記載の情報表示装置。
【請求項３】
さらに、前記開期間の長さを示す情報である期間情報を取得する取得部を備え、
前記複数の発光部は、前記取得部によって取得された期間情報に示される前記開期間の間に、少なくとも１回、前記発光状態となる
請求項１または２に記載の情報表示装置。
【請求項４】
立体映像を再生する再生装置であって、
請求項１〜３のいずれか１項に記載の情報表示装置と、
前記再生装置に接続された立体映像表示装置に、前記立体映像を示す立体映像信号を出力する映像出力部と
を備える再生装置。
【請求項５】
請求項１〜３のいずれか１項に記載の情報表示装置と、
前記立体映像を示す立体映像信号を受信する受信部と、
前記受信部により受信された前記立体映像信号に示される前記立体映像を表示する映像表示部と、
を備える立体映像表示装置。
【請求項６】
左目用映像と右目用映像とが時系列に交互に並べられた立体映像を出力する装置に備えられる情報表示装置によって実行される情報表示方法であって、
前記情報表示装置は、
複数の発光部を有し、前記複数の発光部のそれぞれが、発光の開始から当該発光の停止までの状態である発光状態と、当該発光の停止から次の発光の開始までの状態である非発光状態とを繰り返すことで情報を表示する表示部を備え、
前記複数の発光部のそれぞれは、複数の発光体を有し、前記発光状態において、前記複数の発光体のうちの選択された発光体が点灯し、
前記情報表示方法は、
前記複数の発光部のそれぞれが、前記立体映像を視認するための眼鏡が備えるシャッターであって右目用または左目用のシャッターが開放してから閉じるまでの期間である開期間の間に、少なくとも１回、前記発光状態となる開始ステップ
を含む情報表示方法。
【発明の詳細な説明】
【技術分野】
【０００１】
本発明は情報表示装置に関し、特に、３Ｄ眼鏡を装着した状態で視認される場合の情報表示に関する。
【背景技術】
【０００２】
従来、例えば再生装置における再生位置を示すカウンタ値等の情報の表示のためのデバイスとしては、蛍光表示管（ＶＦＤ：Ｖａｃｕｕｍ  Ｆｌｕｏｒｅｓｃｅｎｔ  Ｄｉｓｐｌａｙ）、ＬＥＤ（Ｌｉｇｈｔ  Ｅｍｉｔｔｉｎｇ  Ｄｉｏｄｅ）ディスプレイ、およびＬＣＤ（Ｌｉｑｕｉｄ  Ｃｒｙｓｔａｌ  Ｄｉｓｐｌａｙ）などが知られている。
【０００３】
蛍光表示管は蛍光灯と同じく管内に電子が流れることにより発光する。蛍光表示管はグリッド配線で内部分割され、グリッドと呼ばれる単位で点灯する。また、蛍光表示管の点灯周期はフレーム周期と呼ばれる。
【０００４】
例えば、特許文献１には、蛍光表示装置に関する発明が開示されている。特許文献１に記載された蛍光表示装置は、蛍光表示管と、この蛍光表示管に表示電圧を供給するアノードドライバおよびグリッドドライバと、このアノードドライバおよびグリッドドライバに制御信号を供給する制御回路と、外部との信号のやりとりを行うインターフェイス回路と、低電圧を所望の電圧に昇圧するＤＣ−ＤＣコンバータと、フィラメントに電圧を供給するフィラメント電圧供給回路と、フィラメントに供給する電圧と一画面を表示する期間とを同期させるための同期回路とを備える。
【０００５】
特許文献１に記載された蛍光表示装置は、上記構成を備えることで、表示のフリッカー（表示におけるムラ、チラツキ、およびゆらぎなど）の抑制を図っている。
【０００６】
昨今、３Ｄ映像（以下、「立体映像」ともいう。）をＴＶで観る場合に３Ｄ眼鏡を装着するようになった。３Ｄ眼鏡では左右のレンズのそれぞれに備えられたシャッターが開閉する。
【０００７】
また、３Ｄ眼鏡は、ＴＶの画面を観ていなくてもＴＶから３Ｄ眼鏡へシャッター開口指示パルスが届いていればシャッターが開閉する。
【０００８】
図１０は、従来の蛍光表示管の構成概要の一例を示す図である。
【０００９】
図１０に示すように、蛍光表示管５００は、グリッドと呼ばれるブロックに分けられている。図１０の［ａ］〜［ｆ］は、複数のグリッドのそれぞれを示す記号である。
【００１０】
つまり、図１０の例においては、蛍光表示管５００は［ａ］〜［ｆ］の６つのグリッドに分割されている。
【００１１】
図１１は、従来の蛍光表示管における点灯波形と３Ｄ眼鏡のシャッターの開閉周期との関係の例を示す図である。
【００１２】
なお、図１１においてドットが付された区間は、シャッターが閉じられている閉期間であり、閉期間以外の期間は、シャッターが開放されている開期間である。
【００１３】
また、図１１では、３Ｄ眼鏡の右目用および左目用のいずれか一方のみのシャッターについての開期間および閉期間が示されている。また、以下では、３Ｄ眼鏡の左目用および右目用のいずれか一方のみのシャッターに着目し、当該シャッターの開閉周期と、従来の蛍光表示管における点灯波形との関係を説明する。
【００１４】
図１１に示すように、従来の蛍光表示管５００では、例えば、［ａ］、［ｂ］、［ｃ］、［ｄ］、［ｅ］、［ｆ］のグリッドがこの順番に点灯する。
【００１５】
例えば、図１１におけるグリッド［ａ］のパルスがＨＩＧＨになったときに、グリッド［ａ］（図１０参照）が点灯する。その後、グリッド［ａ］のパルスがＬＯＷになったときにグリッド［ａ］が消灯する。［ｂ］〜［ｆ］のそれぞれのグリッドについても、同様の動作をする。
【００１６】
これにより、［ａ］〜［ｆ］のグリッドが順番に一つずつ点灯する。この動作が繰り返される事により、ユーザには［ａ］〜［ｆ］のグリッドが同時に点灯しているように見える。
【００１７】
一般的な表示ドライバで蛍光表示管を駆動する場合、蛍光表示管のグリッド数＋１で１フレームが構成される。
【００１８】
具体的には、図１１の上段の図に示すように、［ａ］〜［ｆ］の全てのグリッドが点灯した後に、一つのグリッドが点灯する期間（単位点灯期間）と同じ長さだけ、全てのグリッドが消灯する期間（△ｔ）がある。そのため、蛍光表示管のグリッド数＋１で１フレームとなる。
【００１９】
つまり、図１０に示す蛍光表示管５００のように６つのグリッドがある場合、１フレームの長さ（フレーム周期）は、単位点灯期間×７となる。
【００２０】
このように、複数のグリッドのそれぞれが周期的に点灯状態になる蛍光表示管５００をユーザが見る場合、３Ｄ眼鏡を装着しない通常状態では両目で全ての発光が視認できる。
【００２１】
図１１の上段の図は、３Ｄ眼鏡を装着しない通常状態の蛍光表示管５００の点灯波形を示す。このように各グリッドが点灯する蛍光表示管５００を、３Ｄ眼鏡を装着せずに見た場合、３Ｄ眼鏡のシャッター周期に起因するフリッカーは発生しない。
【００２２】
しかし、３Ｄ眼鏡を装着した場合、シャッターが開閉を繰り返すため、シャッターの開期間にのみ蛍光表示管５００の発光の視認が可能となる。
【００２３】
この場合、周期的に発生するそれぞれの開期間における、各グリッドの発光の視認の可否および程度がまばらになり、その結果、蛍光表示管のフリッカーが発生する。
【００２４】
ここで、蛍光表示管のフレーム周波数は一定であっても、シャッターの開放割合（図１１における開期間Ｔ２と閉期間Ｔ３との和に対する開期間Ｔ２の割合）が変化すると蛍光表示管のフリッカーに影響する。
【００２５】
図１１の中段と下段とに、シャッターの開放割合が互いに異なる２つのシャッターパターンの例を示す。
【００２６】
図１１の中段の図は、開放割合が４０％の場合（シャッターパターン１）の、シャッターの開閉周期と蛍光表示管５００の点灯波形との関係を示している。
【００２７】
シャッターパターン１おいては、開期間Ｔ２の間において、６つのグリッドのうち少なくとも１つのグリッドは、当該開期間Ｔ２の間において発光状態になっていない。
【００２８】
例えば、最初の開期間Ｔ２では、［ｂ］〜［ｆ］の各グリッドは１回だけ発光状態になっている。しかし、グリッド［ａ］は、開期間Ｔ２が始まる前に発光を開始しており、かつ、次の発光状態は閉期間Ｔ３の間である。つまり、グリッド［ａ］の発光状態は当該開期間Ｔ２に含まれていない。
【００２９】
より詳細には、グリッド［ａ］は、Ｔ２の間に発光はしているものの、発光状態になった後にＴ２が始まっているため、このＴ２の間におけるグリッド［ａ］による光量は、相対的に低くなる。
【００３０】
蛍光表示管５００のこのような動作の結果、ユーザには、少なくとも１つのグリッドの明度が強弱を繰り返しているように見えるため、表示がちらついて見える。
【００３１】
図１１の下段の図は、開口期間が３０％の場合（シャッターパターン２）の、シャッターの開閉周期と蛍光表示管５００の点灯波形との関係を示している。
【００３２】
シャッターパターン２おいても、開期間Ｔ２の間において、６つのグリッドのうち少なくとも１つのグリッドは、当該開期間Ｔ２の間において発光状態になっていない。
【００３３】
具体的には、１つの開期間Ｔ２に着目すると、６つのグリッドのうち少なくとも１つのグリッドは、開期間Ｔ２の間に全く発光していない。
【００３４】
また、最初の開期間Ｔ２では、グリッド［ｆ］が全く発光せず、次の開期間Ｔ２ではグリッド［ａ］が全く発光せず、というように、全く発光しないグリッドの位置が移動している。そのため、ユーザには、蛍光表示管５００の表示が流れているように見える。
【先行技術文献】
【特許文献】
【００３５】
【特許文献１】特開平５−３２３９００号公報
【発明の概要】
【発明が解決しようとする課題】
【００３６】
上述のように、従来、ユーザが３Ｄ眼鏡を装着した場合には、蛍光表示管のフレーム周波数によっては、ユーザの視覚上、蛍光表示管による表示にフリッカーが発生する問題があった。
【００３７】
また、蛍光表示管以外であっても、蛍光表示管と同じように、複数の発光部のそれぞれが発光状態と非発光状態とを繰り返すことで情報を表示する装置では、同様の問題が生じることとなる。
【００３８】
そこで、本発明は、上記従来の課題を考慮し、ユーザが３Ｄ眼鏡を装着した場合のフリッカーの発生を抑制することのできる情報表示装置を提供することを目的とする。
【課題を解決するための手段】
【００３９】
本発明の一態様に係る情報表示装置は、左目用映像と右目用映像とが時系列に交互に並べられた立体映像を出力する装置に備えられる情報表示装置であって、複数の発光部を有し、前記複数の発光部のそれぞれが、発光の開始から予め設定された期間の経過後の当該発光の停止までの状態である発光状態と、当該発光の停止から次の発光の開始までの状態である非発光状態とを交互に繰り返すことで、前記立体映像とは異なる情報を表示する表示部を備え、前記複数の発光部のそれぞれは、前記立体映像を視認するための眼鏡が備えるシャッターであって右目用および左目用のいずれか一方のシャッターが開放してから閉じるまでの期間である開期間の間に、少なくとも１回の発光状態が含まれるように発光する。
【００４０】
この構成によれば、表示部が有する複数の発光部のそれぞれは、シャッターの開期間の間に、必ず一回は発光状態となる。その結果、当該眼鏡を装着したユーザの、当該シャッターに対応する右目または左目の視覚において、表示部に表示される文字等の情報がゆれて見える、または流れて見えるなどのフリッカーの発生が抑制される。
【００４１】
また、例えば、左右双方のシャッターの開期間が同一であれば、ユーザの右目および左目双方の視覚におけるフリッカーの発生は抑制される。
【００４２】
また、本発明の一態様に係る情報表示装置において、前記複数の発光部は、前記表示部において列を形成するように配置されており、前記複数の発光部による発光パターンの周期であって、前記列の一端の発光部から他端の発光部にかけて順次行われる、発光状態および非発光状態の一方から他方への切り替えを含む発光パターンの周期が、前記開期間よりも短いことにより、前記複数の発光部のそれぞれは、前記開期間の間に、少なくとも１回の発光状態が含まれるように発光するとしてもよい。
【００４３】
この構成によれば、例えば左右方向に一列に並べられた発光部により情報を表示する情報表示装置におけるフリッカーの発生が抑制される。また、発光パターンの周期を開期間よりも短くするという、現実的な手法により、複数の発光部それぞれの、開期間の間における適正な発光期間が保障される。
【００４４】
また、本発明の一態様に係る情報表示装置は、さらに、前記開期間の長さを示す情報である期間情報を取得する取得部を備え、前記複数の発光部は、前記取得部によって取得された期間情報に示される前記開期間の間に、少なくとも１回の発光状態が含まれるように発光するとしてもよい。
【００４５】
この構成によれば、シャッターの開期間に応じて、複数の発光部それぞれの発光動作が実行される。例えば、ユーザによる設定変更により、シャッターの開期間が短く変更された場合であっても、本態様の情報表示装置によれば、変更後の開期間の長さに応じて、複数の発光部それぞれの発光状態の繰り返しの周期を調整することができる。その結果、開期間の長さの変更後においても、当該シャッターを介した視覚におけるフリッカーの発生は抑制される。
【００４６】
また、本発明の一態様に係る再生装置は、立体映像を再生する再生装置であって、上記いずれかの態様に係る情報表示装置と、前記再生装置に接続された立体映像表示装置に、前記立体映像を示す立体映像信号を出力する映像出力部とを備える。
【００４７】
また、本発明の一態様に係る立体映像表示装置は、上記いずれかの態様に係る情報表示装置と、前記立体映像を示す立体映像信号を受信する受信部と、前記受信部により受信された前記立体映像信号に示される前記立体映像を表示する映像表示部とを備える。
【００４８】
このように、本発明は、立体映像を出力する装置であって、上記いずれかの態様に係る情報表示装置を備える装置として実現できる。
【００４９】
また、本発明は、上記いずれかの態様に係る情報表示装置が実行する特徴的な処理を含む情報表示方法として実現することもできる。また、当該情報表示方法が含む各処理をコンピュータに実行させるためのプログラムとして実現すること、および、そのプログラムが記録された記録媒体として実現することもできる。そして、そのプログラムをインターネット等の伝送媒体又はＤＶＤ等の記録媒体を介して配信することもできる。
【００５０】
また、本発明は、上記いずれかの態様に係る情報表示装置の構成の一部または全部を含む集積回路として実現することもできる。
【発明の効果】
【００５１】
本発明によれば、ユーザが３Ｄ眼鏡を装着した場合のフリッカーの発生を抑制することのできる情報表示装置、ならびに、当該情報表示装置を備える再生装置および立体映像表示装置を提供することができる。
【図面の簡単な説明】
【００５２】
【図１】図１は、本発明の実施の形態における情報表示装置の基本的な構成を示す図である。
【図２】図２は、本発明の実施の形態における情報表示装置を含む立体映像視聴システムの構成概要を示す図である。
【図３】図３は、本発明の実施の形態における再生装置の基本的なハードウェア構成を示す図である。
【図４】図４は、本発明の実施の形態における情報表示装置が有する蛍光表示管の構成概要を示す図である。
【図５】図５は、本発明の実施の形態における蛍光表示管の点灯波形と３Ｄ眼鏡におけるシャッターの開閉周期との関係の一例を示す図である。
【図６】図６は、本発明の実施の形態における情報表示装置の基本的な動作を示す図である。
【図７】図７は、本発明の実施の形態における情報表示装置の構成の別の一例を示す図である。
【図８】図８は、本実施の形態における情報表示装置を備えるＴＶの外観の一例を示す図である。
【図９】図９は、図８に示すＴＶの基本的な構成を示す図である。
【図１０】図１０は、従来の蛍光表示管の構成概要の一例を示す図である。
【図１１】図１１は、従来の蛍光表示管における点灯波形と３Ｄ眼鏡のシャッターの開閉周期との関係の例を示す図である。
【発明を実施するための形態】
【００５３】
以下本発明の実施の形態について、図面を参照しながら説明する。
【００５４】
図１は、本発明の実施の形態における情報表示装置１００の基本的な構成を示す図である。
【００５５】
図１に示すように、本発明の実施の形態における情報表示装置１００は、左目用映像と右目用映像とが時系列に交互に並べられた立体映像を出力する装置に備えられる装置であり、複数の発光部１２０を有する表示部１１０を備える。
【００５６】
これら複数の発光部１２０のそれぞれは、発光の開始から予め設定された期間の経過後の当該発光の停止までの状態である発光状態と、当該発光の停止から次の発光の開始までの状態である非発光状態とを交互に繰り返す。これにより、表示部１１０に、前記立体映像とは異なる情報が表示される。
【００５７】
つまり、情報表示装置１００は、立体映像の表示用としてではなく、立体映像の再生位置を示すカウンタ値等の、立体映像とは異なる情報のみを表示するために、再生装置等に備えられる装置である。
【００５８】
また、本実施の形態における複数の発光部１２０のそれぞれは、立体映像を視認するための３Ｄ眼鏡３０が備えるシャッターであって右目用および左目用のいずれか一方のシャッターが開放してから閉じるまでの期間である開期間の間に、少なくとも１回の発光状態が含まれるように発光する。
【００５９】
複数の発光部１２０のそれぞれがこのような発光動作を行うことにより、当該シャッターを介した視覚におけるフリッカーの発生を抑制することができる。
【００６０】
以下、本実施の形態における情報表示装置１００の適用例および具体例について、図２〜図９を用いて説明する。
【００６１】
図２は、本発明の実施の形態における情報表示装置１００を含む立体映像視聴システム５０の構成概要を示す図である。
【００６２】
立体映像視聴システム５０は、立体映像表示装置であるＴＶ１０と、立体映像を再生する再生装置２０と、３Ｄ眼鏡３０とを備える。
【００６３】
再生装置２０はＴＶ１０と接続されており、ＴＶ１０は再生装置２０の映像出力部２００から受信する立体映像信号に基づく立体映像を映像表示部１１に表示する。なお、映像表示部１１は、例えば、液晶パネルまたはＰＤＰ（Ｐｌａｓｍａ  Ｄｉｓｐｌａｙ  Ｐａｎｅｌ）などの表示デバイスによって実現される。
【００６４】
再生装置２０は、例えば、再生するコンテンツデータのカウンタ値などの表示装置として情報表示装置１００を備えている。また、情報表示装置１００は、本実施の形態では、蛍光表示管を有している。情報表示装置１００詳細については、図３〜図６を用いて後述する。
【００６５】
３Ｄ眼鏡３０は、右目用のシャッターと左目用のシャッターを備えている。ここで、３Ｄ眼鏡３０を用いた立体映像方式に対応する立体映像信号は、左目用の映像信号と右目用の映像信号とを時系列に交互に並べた映像信号である。
【００６６】
ＴＶ１０は、立体映像の出力時に、３Ｄ眼鏡３０に、シャッターの切換のタイミングに関する情報と眼鏡のシャッターの開放割合情報とを送信する。
【００６７】
眼鏡のシャッターの開放割合情報とは、３Ｄ眼鏡３０のシャッターの開期間を規定する情報である。図１１におけるシャッターパターン１のように、開放割合が４０％である場合は、開期間：閉期間＝４０：６０である。
【００６８】
また、図１１におけるシャッターパターン２のように、開放割合が３０％である場合は、開期間：閉期間＝３０：７０である。
【００６９】
ここで、ユーザが３Ｄ眼鏡３０を装着している間、ユーザは、ＴＶ１０の出力（映像表示部１１に表示された映像）だけでなく情報表示装置１００に表示される情報も３Ｄ眼鏡３０を介して視認する。
【００７０】
図３は、本発明の実施の形態における再生装置２０の基本的なハードウェア構成を示す図である。
【００７１】
再生装置２０は、マイクロコンピュータ２０３と、ディスク駆動部２０４と、デコーダ２０６と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）出力部２０７と、情報表示装置１００とを備える。
【００７２】
マイクロコンピュータ２０３は、再生装置２０の制御を行う。マイクロコンピュータ２０３の制御により、ディスク２０５の情報をディスク駆動部２０４が読み出す。ディスク２０５には、例えば、立体映像コンテンツが記録されており、ディスク駆動部２０４はその立体映像コンテンツを読み出す。
【００７３】
デコーダ２０６はディスク駆動部２０４から読み出されたデータをデコードする。ディスク駆動部２０４により立体映像コンテンツが読み出された場合、デコーダ２０６は、その立体映像コンテンツをデコードすることで立体映像信号を生成し、生成した立体映像信号を出力する。
【００７４】
ＨＤＭＩ出力部２０７は、再生装置２０における映像出力部２００としての機能を有するハードウェアであり、デコーダ２０６からの情報を外部の装置に出力する。
【００７５】
ＨＤＭＩ出力部２０７は、デコーダ２０６が立体映像信号を出力した場合は、その立体映像信号を外部の装置に出力する。つまり、本実施の形態では、自装置に接続された立体映像表示装置であるＴＶ１０に対して、立体映像信号を出力する。
【００７６】
情報表示装置１００は、表示部１１０として機能する表示ドライバ１５０と蛍光表示管１６０とを有する。
【００７７】
マイクロコンピュータ２０３は、ディスク駆動部２０４からの情報、再生装置２０の初期設定情報、および再生装置２０のモード情報等により表示仕様を決定する。マイクロコンピュータ２０３は、決定した表示仕様を表示ドライバ１５０に送信する。
【００７８】
ディスク駆動部２０４からの情報とは、再生しているディスク２０５のコンテンツに対応した、蛍光表示管１６０に表示される情報の事である。例えば、再生中のコンテンツの再生時刻を示す時刻情報（つまり、カウンタ値）などが該当する。
【００７９】
また、再生装置２０の初期設定情報とは、例えば、表示ドライバ１５０の各ピンと蛍光表示管１６０との対応関係を示す情報、および、蛍光表示管１６０の明るさに関する情報などである。
【００８０】
図４は、本発明の実施の形態における情報表示装置１００が有する蛍光表示管１６０の構成概要を示す図である。
【００８１】
本実施の形態の蛍光表示管１６０は、複数の発光部１２０として、［ａ］〜［ｆ］の６つのグリッドを有する。
【００８２】
マイクロコンピュータ２０３は、初期設定情報および再生装置２０の動作の状況に応じて、これら６つのグリッドの中から、点灯させるべきグリッドを決定する。
【００８３】
また、マイクロコンピュータ２０３は、点灯させるグリッドにおいて、どのセルを点灯させるかを決定する。セルとは、各グリッドを構成するそれぞれの蛍光体のことである。本実施の形態では、各グリッドは１４個のセルで構成された１４セグメントタイプのグリッドである。
【００８４】
マイクロコンピュータ２０３は、点灯すべきグリッドおよびセルを決定すると、その情報を表示ドライバ１５０に送る。表示ドライバ１５０はマイクロコンピュータ２０３から送信された情報に応じて蛍光表示管１６０を駆動することで点灯させる。
【００８５】
図５は、本発明の実施の形態における蛍光表示管１６０の点灯波形と３Ｄ眼鏡３０におけるシャッターの開閉周期との関係の一例を示す図である。
【００８６】
図５に示す、［ａ］〜［ｆ］の６つのグリッドに対応するパルスはそれぞれ、周波数が５７０Ｈｚであり、パルス幅（つまり、発光状態である期間）は同一である。
【００８７】
また、例えば、図５の［ａ］のパルスがＨＩＧＨになっている期間は、図４におけるグリッド［ａ］が発光している。つまりグリッド［ａ］は発光状態である。また、図５の［ａ］のパルスがＬＯＷになっている期間は、図４におけるグリッド［ａ］は発光を停止している。つまりグリッド［ａ］は非発光状態である。
【００８８】
また、図５においてドットが付された区間は、シャッターが閉じられている閉期間であり、閉期間以外の期間は、シャッターが開放されている開期間である。
【００８９】
また、図５では、３Ｄ眼鏡３０の右目用および左目用のいずれか一方のみのシャッターについての開期間および閉期間が示されている。また、以下では、３Ｄ眼鏡３０の左目用および右目用のいずれか一方のみのシャッターに着目し、当該シャッターの開閉周期と、本実施の形態の蛍光表示管１６０における点灯波形との関係を説明する。
【００９０】
なお、３Ｄ眼鏡３０の左右のシャッターの開閉は、ＨＤＭＩ出力部２０７からＴＶ１０に入力された同期信号に基づいて制御される。つまり、３Ｄ眼鏡３０の左右のシャッターは、ＴＶ１０に表示される立体映像における右目用映像および左目用映像の一方から他方への切り替えと同期するように開閉が制御される。
【００９１】
蛍光表示管１６０では、［ａ］、［ｂ］、［ｃ］、［ｄ］、［ｅ］、［ｆ］のグリッドがこの順番に点灯する。
【００９２】
つまり、複数のグリッドは表示部１１０において列を形成するように配置されており、当該列の一端のグリッドから他端のグリッドにかけて、発光状態および非発光状態の一方から他方への切り替えが順次行われる。すなわち、情報表示装置１００は、このような発光パターンで動作する。
【００９３】
なお、一般的な表示ドライバで蛍光表示管を駆動する場合、上述のように、蛍光表示管のグリッド数＋１で１フレームが構成される。つまり、（蛍光表示管のグリッド数＋１）×（１つのパルス幅）がフレーム周期となる。
【００９４】
具体的には、本実施の形態の蛍光表示管１６０では、図５に示すように、［ａ］〜［ｆ］の全てのグリッドが点灯した後に、一つのグリッドが点灯する期間（つまり、上記のパルス幅の期間）と同じ長さだけ、全てのグリッドが消灯する期間（△ｔ）がある。
【００９５】
そのため、蛍光表示管１６０のグリッド数＋１（＝７）個分のパルス幅が、１フレーム周期Ｔ１となる。
【００９６】
また、フレーム周期Ｔ１は、フレーム周波数の逆数である。つまり、本実施の形態では、フレーム周波数（上述のパルスの周波数と同一）は５７０Ｈｚであるため、Ｔ１＝（１／５７０）ｓｅｃである。
【００９７】
このように、表示ドライバ１５０は、マイクロコンピュータ２０３から出力された情報に応じて、蛍光表示管１６０の複数のグリッドを点灯させる。蛍光表示管１６０は、表示ドライバ１５０からの指示に従い、複数のグリッドを発光させる事により情報を表示する。
【００９８】
また、これら複数のグリッドは、それぞれ、発光する場合にはフレーム周期Ｔ１で発光状態および非発光状態を繰り返す。
【００９９】
ここで、ユーザは、３Ｄ眼鏡３０を装着しない通常状態では、両目で、全てのグリッドによる発光を視認できる。
【０１００】
しかし、ユーザが３Ｄ眼鏡３０を装着した場合、シャッターが開閉を繰り返すため、シャッターの開期間にのみ蛍光表示管１６０の発光の視認が可能となる。
【０１０１】
また、蛍光表示管１６０のフレーム周期Ｔ１は蛍光表示管１６０のグリッド数と表示ドライバ１５０の出力パルス幅とによって決定される。
【０１０２】
本実施の形態においては、蛍光表示管１６０のフレーム周期Ｔ１を３Ｄ眼鏡３０におけるシャッターの開期間よりも短くしている。
【０１０３】
蛍光表示管１６０のフレーム周期について説明する。まず、蛍光表示管１６０のフレーム周期とは、蛍光表示管１６０のグリッド数＋１で構成される１フレームの長さである。図５においてはＴ１の期間が該当する。
【０１０４】
次に、３Ｄ眼鏡３０におけるシャッターの開期間について説明する。まず、シャッターの開期間とは、当該シャッターが開いている期間を示す。つまり、当該シャッターが開放されてから閉じるまでの期間であり、図５においてはＴ２の期間が該当する。
【０１０５】
また、３Ｄ眼鏡３０におけるシャッターの閉期間とは、当該シャッターが閉じられている期間を示す。つまり、開期間以外の期間であり、図５においてはＴ３の期間が該当する。
【０１０６】
本実施の形態における再生装置２０の動作について説明する。表示ドライバ１５０は、マイクロコンピュータ２０３から、蛍光表示管１６０に情報を表示する旨の命令を受けた場合、蛍光表示管１６０に対して、その情報を表示するように命令する。
【０１０７】
また、表示ドライバ１５０には、蛍光表示管１６０のフレーム周波数を５７０Ｈｚとするように、各グリッドに出力するパルスの幅が設定されている。そのため、蛍光表示管１６０のフレーム周波数は５７０Ｈｚとなる。
【０１０８】
一方、３Ｄ眼鏡３０におけるシャッターの開期間は、３Ｄ眼鏡３０のシャッターの開放周波数およびシャッターの開放割合によって決定される。また、３Ｄ眼鏡３０のシャッターの開放周波数およびシャッターの開放割合は、再生しているコンテンツ、または、ユーザの再生装置２０もしくはＴＶ１０に対する設定に応じて決まる。
【０１０９】
例えば、本実施の形態では、３Ｄ眼鏡３０のシャッターの開放周波数は１２０Ｈｚで、シャッターの開放割合が３０％である。
【０１１０】
つまり、当該シャッターは、（１／１２０）ｓｅｃごとに開放し、開放してから（１／１２０）ｓｅｃの３０％の時間の経過後に閉じる。従って、この場合、当該シャッターの開期間は、（１／４００）ｓｅｃとなる。
【０１１１】
すなわち、本実施の形態では、フレーム周期Ｔ１＝（１／５７０）ｓｅｃであり、シャッターの開期間Ｔ２＝（１／４００）ｓｅｃであり、Ｔ１＜Ｔ２の関係が成立する。
【０１１２】
この場合、図５に示すように、［ａ］〜［ｆ］の各グリッドは、開期間Ｔ２の間に少なくとも１回は発光状態が含まれるように発光する。
【０１１３】
図６は、本発明の実施の形態における情報表示装置１００の基本的な動作を示す図である。
【０１１４】
図６に示すように、［ａ］〜［ｆ］の各グリッドは、開期間Ｔ２の間に、発光を開始する（Ｓ１０）。その後、当該発光を開始してから予め設定された期間の経過後であって、当該開期間Ｔ２の間に当該発光を停止する（Ｓ１１）。
【０１１５】
より詳細には、［ａ］〜［ｆ］の各グリッドは、図５に示すように、［ａ］〜［ｆ］の順番で非発光状態から発光状態に切り替わる。
【０１１６】
なお、“開期間Ｔ２の間”とは、シャッターの開放動作の開始時刻以降であって、かつ、当該開放動作によって開放された当該シャッターが完全に閉じた時刻以前である。
【０１１７】
このように、本実施の形態の情報表示装置１００では、ＨＤＭＩ出力部２０７からＴＶ１０に入力され表示された立体映像と同期した３Ｄ眼鏡３０におけるシャッターの開期間Ｔ２の間に、複数の発光部１２０（グリッド［ａ］〜［ｆ］）のそれぞれが、少なくとも１回は発光状態となる。
【０１１８】
従って、本実施の形態の情報表示装置１００によれば、ユーザは、３Ｄ眼鏡３０のシャッターが開いている期間に全ての発光部１２０の発光を適切に視認できる。これにより、ユーザが３Ｄ眼鏡３０を介して情報表示装置１００を見た場合の、フリッカーの発生が抑制される。
【０１１９】
また、例えば、蛍光表示管１６０のフレーム周波数を高くすることにより各グリッドの点灯がまばらになった場合でも、このようにまばらになった状態が視認されにくいため、フリッカーの問題は発生し難い。
【０１２０】
また、例えば、３Ｄ眼鏡３０において、左右双方のシャッターの開期間が同一であれば、ユーザの右目および左目双方の視覚におけるフリッカーの発生は抑制される。
【０１２１】
また、左右双方のシャッターの開期間が異なる場合、フレーム周期Ｔ１を、これら開期間のうちの短い方の開期間よりも短く設定することで、ユーザの右目および左目双方の視覚におけるフリッカーの発生は抑制される。
【０１２２】
また、情報表示装置１００は、例えば、３Ｄ眼鏡３０におけるシャッターの開期間の変更に応じて、複数の発光部それぞれの発光動作を変更してもよい。
【０１２３】
図７は、本発明の実施の形態における情報表示装置１００の構成の別の一例を示す図である。
【０１２４】
図７に示す情報表示装置１００は、取得部１３０を備える。取得部１３０は、３Ｄ眼鏡３０におけるシャッターの開期間の長さを示す情報である期間情報を取得する。
【０１２５】
この場合、複数の発光部１２０は、取得部１３０によって取得された期間情報に示される開期間の間に、少なくとも１回の発光状態が含まれるように発光する。
【０１２６】
例えば、ユーザによる開放割合についての設定変更により、シャッターの開期間Ｔ２が、フレーム周期Ｔ１よりも短い期間に変更された場合を想定する。
【０１２７】
この場合、図７に示す情報表示装置１００によれば、変更後の開期間Ｔ２の長さよりもフレーム周期Ｔ１が短くなるように、フレーム周期Ｔ１が調整される。その結果、開期間Ｔ２の長さの変更後においても、当該シャッターを介した視覚におけるフリッカーの発生は抑制される。
【０１２８】
つまり、図７に示す情報表示装置１００は、３Ｄ眼鏡３０におけるシャッターの開期間の変更に応じて、適応的にフレーム周期（フレーム周波数）を変更することができる。
【０１２９】
なお、取得部１３０による期間情報の取得は、例えば、シャッターの開期間Ｔ２に関する設定が変更されたことをトリガとして実行されてもよく、定期的に実行されてもよい。
【０１３０】
また、変更後の開期間Ｔ２から、その時点でのフレーム周期Ｔ１を減算した結果が、所定の値（０以上）以下である場合に、当該減算の結果が所定の値より大きくなるように、フレーム周期Ｔ１が決定されればよい。
【０１３１】
また、これら一連の処理（取得部１３０による期間情報の取得および、取得した期間情報に基づくフレーム周期の変更）は、ユーザに何らの操作を求めることなく自動で実行されてもよい。また、当該一連の処理のいずれかの段階において、実行の可否およびフレーム周期の変更量等についてユーザに判断を仰いでもよい。
【０１３２】
また、本実施の形態では、情報表示装置１００は、再生装置２０に備えられるとしたが、情報表示装置１００は、別の種類の装置に備えられてもよい。例えば、ＴＶ１０に情報表示装置１００が備えられてもよい。
【０１３３】
図８は、本実施の形態における情報表示装置１００を備えるＴＶ１０の外観の一例を示す図である。
【０１３４】
図９は、図８に示すＴＶ１０の基本的な構成を示す図である。
【０１３５】
図８に示すように、情報表示装置１００は、例えば蛍光表示管１６０が映像表示部１１の下に配置されるように、ＴＶ１０に内蔵される。
【０１３６】
また、当該ＴＶ１０は、映像表示部１１および情報表示装置１００に加え、立体映像信号を受信する受信部１５を備える。
【０１３７】
受信部１５は、例えば再生装置２０から立体映像信号を受信する。また、例えば、図示しないアンテナを介して、放送波によって送信される立体映像信号を受信することもできる。
【０１３８】
情報表示装置１００における表示部１１０（蛍光表示管１６０）は、例えば、現在時刻を示す数字列、または、立体映像を表示している旨の文字列などを表示する。
【０１３９】
また、情報表示装置１００は、受信部１５を介して再生装置２０から立体映像信号を受信する場合、再生装置２０から当該立体映像信号に関する情報を取得し、取得した情報を表示してもよい。
【０１４０】
なお、情報表示装置１００は、例えば、ＴＶ１０の制御部（図示せず）の指示に従って、上記の各種の情報を表示する。
【０１４１】
このように、立体映像が表示される画面（映像表示部１１）の近傍に情報表示装置１００が配置される場合、３Ｄ眼鏡３０を装着して当該立体映像を観賞するユーザの視野に、情報表示装置１００によって表示される情報が含まれる可能性が高い。
【０１４２】
しかし、本実施の形態の情報表示装置１００では、全ての発光部１２０のそれぞれは、上述のように、３Ｄ眼鏡３０におけるシャッターの開期間の間に、少なくとも１回の発光状態が含まれるように発光する。
【０１４３】
そのため、情報表示装置１００におけるフリッカーの発生は抑制され、これにより、例えば、情報表示装置１００による情報の表示が、立体映像の観賞の妨げとなることがない。また、情報表示装置１００により、立体映像を観賞中のユーザに有益な情報を提供することができる。
【０１４４】
以上、本発明の情報表示装置、再生装置、および、立体映像表示装置について、実施の形態に基づいて説明した。しかしながら、本発明は、上記の実施の形態に限定されるものではない。本発明の趣旨を逸脱しない限り、当業者が思いつく各種変形を実施の形態に施したものも、あるいは、上記説明された複数の構成要素を組み合わせて構築される形態も、本発明の範囲内に含まれる。
【０１４５】
例えば、本実施の形態においては、蛍光表示管１６０のフレーム周波数を５７０Ｈｚとし、３Ｄ眼鏡３０のシャッターの開放周波数は１２０Ｈｚとし、シャッターの開放割合は３０％であるとした。
【０１４６】
しかし、蛍光表示管１６０のフレーム周波数、３Ｄ眼鏡３０のシャッターの切換の周波数およびシャッターの開放割合のそれぞれは、これら値に限られるものではない。
【０１４７】
つまり、複数の発光部１２０（グリッド［ａ］〜［ｆ］）のそれぞれが、３Ｄ眼鏡３０のシャッター（左目用および右目用のいずれか一方）の開期間の間に、少なくとも１回の発光状態が含まれるように発光する、という関係を満たす値であれば、フレーム周波数等の値は、どのような値であってもよい。
【０１４８】
また、蛍光表示管１６０が有するグリッドの数も６以外であってもよく、各グリッドのセグメント数も１４以外であってもよい。
【０１４９】
また、情報表示装置１００が表示部１１０として備える表示デバイスの種類は蛍光表示管に限定されない。例えば、複数の発光部１２０として、有機ＥＬ（Ｅｌｅｃｔｒｏ−Ｌｕｍｉｎｅｓｃｅｎｃｅ）を備える表示デバイスが、表示部１１０として採用されてもよい。
【０１５０】
つまり、複数の発光部のそれぞれが発光状態と非発光状態とを繰り返すことで情報を表示する装置では、同様の問題（３Ｄ眼鏡を介した視覚におけるフリッカーの問題）が生じることとなる。
【０１５１】
しかし、本実施の形態の情報表示装置１００は、上述のように、開期間Ｔ２よりも、短いフレーム周期Ｔ１で動作することができるため、表示デバイスの種類（発光部１２０の種類）が何であるかに関わらず、フリッカーの発生は抑制される。
【０１５２】
また、本実施の形態における再生装置２０では、ディスク駆動部２０４がディスク２０５から、再生対象である立体映像コンテンツが読み出されている。しかし、立体映像コンテンツは他の記録媒体から読み出されてもよい。つまり、再生装置２０に接続されたＨＤＤ（Ｈａｒｄ  Ｄｉｓｋ  Ｄｒｉｖｅ）またはメモリカードなどから、再生対象の立体映像コンテンツが読み出されてもよい。
【０１５３】
また、本実施の形態における再生装置２０では、ディスク２０５から再生されているコンテンツに対応した情報を、蛍光表示管１６０に表示する情報として、ディスク駆動部２０４がディスク２０５から読み出している。
【０１５４】
具体的には、本実施の形態における再生装置２０では、コンテンツに対応する情報として、当該コンテンツの再生時刻を示す時刻情報（カウンタ値）が蛍光表示管１６０に表示されるとした。
【０１５５】
しかし、蛍光表示管１６０に表示される情報はこれに限られるものではなく、現在の時刻を示す時計情報であってもよい。つまり、蛍光表示管１６０に表示される情報は、立体映像とは異なる情報であればどのような情報であってもよい。
【０１５６】
蛍光表示管１６０に表示される情報の別の例としては、例えば、何らかのコンテンツが再生中であることを示す文字列“ＰＬＡＹ”などが挙げられる。
【０１５７】
また、本実施の形態においては、再生装置２０は、ＴＶ１０に立体映像信号を出力する出力手段（映像出力部）として、ＨＤＭＩ出力部２０７を備えている。しかし、再生装置２０からＴＶ１０への出力手段はこれに限られるものではなく、他の種類の出力手段（出力端子）であってもよい。
【０１５８】
また、本実施の形態では、情報表示装置１００が備えられる装置として、再生装置２０とＴＶ１０とを例示した。しかし、情報表示装置１００は、例えば、通信回線網を介して立体映像信号を受信し、立体映像表示装置に出力するセットトップボックス等の他の種類の装置に備えられてもよい。
【産業上の利用可能性】
【０１５９】
本発明は、ユーザが３Ｄ眼鏡を装着した場合のフリッカーの発生を抑制することのできる情報表示装置、ならびに、当該情報表示装置を備える再生装置および立体映像表示装置を提供することができる。そのため、本発明は、据置レコーダー、据置プレーヤー、据置シアター、および、据置セットトップボックス等、ならびに、これらに備えられる情報表示装置等として有用である。
【符号の説明】
【０１６０】
１０    ＴＶ
１１    映像表示部
１５    受信部
２０    再生装置
３０    ３Ｄ眼鏡
５０    立体映像視聴システム
１００    情報表示装置
１５０    表示ドライバ
１６０    蛍光表示管
２０３    マイクロコンピュータ
２０４    ディスク駆動部
２０５    ディスク
２０６    デコーダ
２０７    ＨＤＭＩ出力部
【図１】
0005261533.tif 000002
【図２】
0005261533.tif 000003
【図３】
0005261533.tif 000004
【図４】
0005261533.tif 000005
【図５】
0005261533.tif 000006
【図６】
0005261533.tif 000007
【図７】
0005261533.tif 000008
【図８】
0005261533.tif 000009
【図９】
0005261533.tif 000010
【図１０】
0005261533.tif 000011
【図１１】
0005261533.tif 000012